(57)【要約】【課題】  エアゾール容器等の吐出容器に塗布具を取り付けた液状物塗布用具において、この液状物塗布用具の使用時の塗布具を軽量化し、取り扱い性を向上させる。【解決手段】  毛髪化粧料等の液状物の塗布用具１Ａが、液状物を充填した吐出容器（エアゾール容器２ａ、２ｂ）と、塗布部（櫛部１２）と把持部１１を有する塗布具１０とからなる。塗布具１０は、着脱自在に吐出容器に取り付けられる。塗布部には、吐出容器に連通する液状物の通液路１３と吐出孔１７が形成されている。【選択図】    図１
2005028039.tif 000002
【特許請求の範囲】
【請求項１】
液状物を収容する吐出容器と、塗布部と把持部を有する塗布具とからなる液状物塗布容器であって、
塗布具が、着脱自在に吐出容器に取り付けられ、
塗布部に、吐出容器に連通する液状物の通液路と吐出孔が形成されている液状物塗布容器。
【請求項２】
塗布具の通液路の吐出容器側端部に逆流防止弁が設けられている請求項１記載の液状物塗布容器。
【請求項３】
液状物塗布容器の使用時に吐出容器の台座となり、液状物塗布容器の保管時に吐出容器のキャップとなるキャップ兼台座を備えている請求項１記載の液状物塗布容器。
【請求項４】
吐出容器が毛髪化粧料を収容するエアゾール容器である請求項１記載の液状物塗布容器。
【請求項５】
請求項１〜４のいずれかに記載の液状物塗布容器の吐出容器に、液状物が充填されている液状物塗布用具。
【発明の詳細な説明】
【技術分野】
【０００１】
本発明は、エアゾール容器等の吐出容器と塗布具からなる液状物塗布容器に関する。
【背景技術】
【０００２】
染毛剤を収容したエアゾール容器に、染毛剤の吐出孔を備えた櫛部を塗布部として取り付け、染毛剤の吐出と髪への塗布を同時に行えるようにした染毛用具が提案されている（特許文献１）。この染毛用具において、二剤形式の染毛剤を吐出させるものは、染毛剤の第１剤を収容する第１エアゾール容器と第２剤を収容する第２エアゾール容器とをカバー部により一体容器とし、その上部に、染毛剤の注出孔が形成されている櫛歯を備えた塗布部を取り付けたものであり、使用時には、カバー部を片手で握り、そのカバー部に設けられている指掛部を押し下げ、櫛歯に開口している注出孔から第１剤と第２剤の混合剤を吐出させる。
【特許文献１】特開平８−１６８４０９号公報
【発明の開示】
【発明が解決しようとする課題】
【０００３】
しかしながら、エアゾール容器に櫛部を取り付けた従来の染毛用具は、染毛剤を収容したエアゾール容器と櫛部の双方を片手で持って作業をすることとなるため、二剤形式の染毛剤を塗布する場合や、剤量の多い長髪染毛用のエアゾール容器を使用する場合には、塗布部が重たく感じられるという問題がある。また、カバー部が被せられたエアゾール容器が把持部となるので、この染毛用具の把持部の長さは、少なくともエアゾール容器の長さとなる。そのため、この染毛用具の把持部は、染毛剤の塗布具の把持部としては長すぎ、染毛作業がやり難くなる。
【０００４】
さらに、エアゾール容器に塗布部を取り付けた従来の染毛用具では、本来、正立噴射で使用すべきエアゾール容器を、誤って倒立噴射で使用してしまうことを防止できず、倒立噴射により噴射剤のみが無駄に噴出するおそれがある。
【０００５】
これに対し、本発明は、毛髪化粧料を充填したエアゾール容器を初めとする種々の液状物の吐出容器と塗布具を組み合わせた、液状物の塗布用具において、液状物の塗布時に片手で持つこととなる塗布具の把持部を軽量化し、かつ、その把持部の長さを、取り扱い性の良い長さに調整することを可能とし、また、正立噴射あるいは吐出用の吐出容器に対して倒立で使用するおそれを解消することを目的とする。
【課題を解決するための手段】
【０００６】
本発明者は、エアゾール容器等の吐出容器と塗布具を組み合わせた液状物塗布用具において、吐出容器を据え置き型として使用し、一方、塗布具を、例えば、毛髪化粧料を吐出させることのできる塗布部としての櫛部と把持部から構成し、その塗布具を吐出容器に対して着脱自在に取り付けられるようにすると、髪に毛髪化粧料を塗布する際には、まず、塗布具を吐出容器に取り付けて毛髪化粧料を吐出させることにより櫛部に毛髪化粧料を保持させ、次いで、塗布具を吐出容器から取り外し、櫛部に保持された毛髪化粧料を髪に塗布できるので、二剤形式の毛髪化粧料を塗布する場合でも、剤量の多い長髪染毛用のエアゾール容器を使用する場合でも、片手で持つ塗布具が重たく感じられることはなく、また、吐出容器の長さに関わらず、塗布具の把持部の長さを毛髪化粧料の塗布に最適な長さに調整でき、加えて、吐出容器として正立噴射用のエアゾール容器を用いた場合には、それを倒立噴射で使用するおそれを解消できることを見出した。
【０００７】
即ち、本発明は、液状物を収容する吐出容器と、塗布部と把持部を有する塗布具とからなる液状物塗布容器であって、
塗布具が、着脱自在に吐出容器に取り付けられ、
塗布部に、吐出容器に連通する液状物の通液路と吐出孔が形成されている液状物塗布容器を提供し、また、この液状物塗布容器の吐出容器に液状物が充填されている液状物塗布用具を提供する。
【発明の効果】
【０００８】
本発明の液状物塗布用具によれば、吐出容器に塗布具が取り付けられるので、吐出容器からの液状物の吐出と、その液状物の塗布を同時に行うことができる。さらに、塗布具は、塗布部と把持部からなり、吐出容器と着脱自在であるため、液状物の塗布時に片手で持つこととなる塗布具に吐出容器は含まれない。したがって、塗布具が軽量化され、かつ、把持部を取り扱い性の良い長さに調整することが可能となる。また、吐出容器は、常時、据え置かれて使用されるため、正立状態で噴射や吐出させて使用する吐出容器に対して倒立状態で噴射あるいは吐出させて使用するおそれが解消する。
【発明を実施するための最良の形態】
【０００９】
以下、図面を参照しつつ、本発明を詳細に説明する。なお、各図中、同一符号は同一又は同等の構成要素を表している。
【００１０】
図１は、本発明の液状物塗布用具の一実施例である毛髪化粧料塗布用具１Ａ であって、塗布具をエアゾール容器に取り付けた状態（ａ）と外した状態（ｂ）を示す斜視図であり、図２は、図１の毛髪化粧料塗布用具１Ａ を構成する毛髪化粧料吐出容器１Ａpの構成部材の説明図である。また、図４は、塗布具のエアゾール容器への取り付け部分の断面図である。
【００１１】
この毛髪化粧料塗布用具１Ａ は、二剤形式の毛髪化粧料の塗布に使用するもので、毛髪化粧料の第１剤を収容した第１の容器２ａ、毛髪化粧料の第２剤を収容した第２の容器２ｂ、これらエアゾール容器２ａ、２ｂを据え置き型の容器として安定に起立させる台座３、エアゾール容器２ａ、２ｂを束ねるように固定する連結部材４、エアゾール容器２ａ、２ｂの各ステム５ａ、５ｂとステム挿入口６ａ、６ｂで連結し、各ステム５ａ、５ｂから吐出された剤を合わせて吐出口７から吐出するステムジョイント８、ステムジョイント８の吐出口７と着脱自在に連結する塗布具１０からなっている。
【００１２】
塗布具１０は、把持部１１と、把持部１１上に設けられた櫛部１２からなる。
【００１３】
櫛部１２は、図３に示すように、内部に通液路１３を有する連結部材１４上に、平板状の高剛性材料からなる複数の板状櫛歯１５が、その厚み方向に列設されたものである。各板状櫛歯１５の内部にも通液路１６が形成されており、櫛歯１５同士の対向面には、毛髪化粧料の吐出孔１７として、通液路１６の開口端が形成されている。
【００１４】
把持部１１は、塗布具１０がエアゾール容器２ａ、２ｂに取り付けられている状態で、第１の容器２ａと第２の容器２ｂの上から被さる筒状に形成されている。塗布具１０とステムジョイント８との位置合わせを容易にすると共に、塗布具１０をエアゾール容器２ａ、２ｂの方に押し込んで毛髪化粧料をエアゾール容器２ａ、２ｂから吐出させる時に、塗布具１０が傾かないようにし、第１剤と第２剤が所定の量比で吐出されるようにするため、把持部１１の内部には立壁２３が起立している（図４）。
【００１５】
図４に示すように、塗布具１０はエアゾール容器２ａ、２ｂにステムジョイント８を介して取り付けられている。また、塗布具１０の通液路１３の開口端には、嵌合部材２０が取り付けられている。この嵌合部材２０は、シール性、嵌合性、成形性、脱着操作や吐出時の押圧等による機械耐久性、液状物等に対する耐内容物性の点からポリエチレン、ポリプロピレン、エチレンビニルアルコール等から形成することが好ましく、シール性の観点ではゴム等から形成することが好ましい。
【００１６】
図５は、嵌合部材２０の断面図（ａ）、斜め上から見た斜視図（ｂ）及び斜め下から見た斜視図（ｃ）である。嵌合部材２０は、円盤型部材の中央部に開口部２１を形成し、かつその開口部２１下縁に段差Ｄを備え、その段差Ｄの周囲をガイド壁２２で囲んだ形状をなしている。ガイド壁２２は、開口部２１と反対側の開口径が広がった形状を有している。したがって、ガイド壁２２で囲まれた段差Ｄ部分にステムジョイント８の吐出口７を当て、塗布具１０をエアゾール容器２ａ、２ｂの方に押し込むことにより、ステムジョイント８の吐出口７が塗布具１０の所定の位置に挿入され、その位置でシールされる。そして、毛髪化粧料を吐出させるために塗布具１０を押し下げる際の押圧力は、把持部１１から、嵌合部材２０、ステムジョイント８、ステム５へ伝達し、このとき嵌合部材２０は把持部１１とステムジョイント８に挟まれているので、嵌合部材２０によるシール力は大きくなる。その結果、毛髪化粧料を吐出させる際に通液路内の圧力が大きくなっても液状物の漏れを防止することができる。
【００１７】
また、嵌合部材２０上には逆止弁２４が設けられている。この逆止弁２４は、エアゾール容器２ａ、２ｂから櫛部１２へ向かう毛髪化粧料の流れは通すが、その逆の流れは止める弁である。この逆止弁２４を設けることにより、塗布具１０をエアゾール容器２ａ、２ｂから外した後に、塗布具１０の通液路１３から毛髪化粧料が液だれすることを防止できる。
【００１８】
一方、ステムジョイント８の２つのステム挿入口６ａ、６ｂの間には、このステム挿入口６ａ、６ｂに、第１及び第２のエアゾール容器２ａ、２ｂのステム５ａ、５ｂを挿入する場合の位置合わせを容易にするため、板状の突起９が設けられている。
【００１９】
第１及び第２のエアゾール容器２ａ、２ｂとしては、公知の二剤形式の毛髪化粧料の第１剤、第２剤と噴射剤を充填したものを使用することができる。この第１剤、第２剤としては、例えば、毛髪化粧料が染毛剤である場合、酸化染料を含有する第１剤と過酸化水素を含有する第２剤とすることができ、毛髪化粧料が毛髪脱色剤である場合、アルカリ剤を含有する第１剤と、過酸化水素を含有する第２剤とすることができる。これら第１剤と第２剤には、それぞれ必要に応じて、香料、紫外線吸収剤、金属封止剤、殺菌剤、防腐剤、水溶性溶剤、水溶性高分子、保湿剤等が配合される。
【００２０】
また、噴射剤としては、圧縮空気、ＬＰＧ、窒素ガス等が使用される。
【００２１】
本発明の毛髪化粧料塗布用具１Ａ は、このような第１剤、第２剤及び噴射剤を充填したエアゾール容器２ａ、２ｂと、上述の塗布具１０から構成される。
【００２２】
毛髪化粧料塗布用具１Ａ は、次のように使用される。まず、ステムジョイント８の吐出口７と嵌合部材２０の位置を合わせてエアゾール容器２ａ、２ｂ上に塗布具１０を載せ、図１（ａ）の矢印のように、塗布具１０を下方に押し込む。これにより、ステムジョイント８と塗布部１０が連結される。このときステム５ａ、５ｂも下方に押し込まれるので、毛髪化粧料の第１剤と第２剤がそれぞれエアゾール容器２ａ、２ｂから吐出される。そして、エアゾール容器２ａ、２ｂから吐出された第１剤と第２剤は、ステムジョイント８内で合流し、その吐出口７から出て塗布具１０の通液路１３、１６を通り、櫛部１２の吐出孔１７から吐出され、板状櫛歯１５の間に保持される。
【００２３】
次に、塗布具１０をステムジョイント８から取り外し、把持部１１を片手で握り、櫛部１２に保持された毛髪化粧料を髪に塗布する。
【００２４】
このように毛髪化粧料塗布用具１Ａを用いて髪に毛髪化粧料を塗布するにあたり、片手で持つものは、エアゾール容器２ａ、２ｂを含まない塗布具１０である。したがって、二剤形式の毛髪化粧料を塗布する場合でも、剤量の多い長髪染毛用のエアゾール容器を使用する場合でも、片手で持つ塗布具１０が重たく感じられることはない。また、エアゾール容器２ａ、２ｂの長さＬ1 に関わらず、把持部１１の長さＬ2 を、毛髪化粧料の塗布に最適な長さに形成することができるので、エアゾール容器ごと片手で握って塗布する場合に比して塗布具１０の使いやすさが格段に向上する。加えて、この毛髪化粧料塗布用具１Ａによれば、エアゾール容器２ａ、２ｂが、常時、正立状態で据え置かれて使用されるので、正立噴射用のエアゾール容器を倒立噴射で使用するおそれが解消する。
【００２５】
本発明の毛髪化粧料塗布用具は、塗布具が着脱自在にエアゾール容器に取り付けられる限り、種々の態様をとることができる。
【００２６】
例えば、図６の毛髪化粧料塗布用具１Ｂは、図１の毛髪化粧料塗布用具１Ａに対して、連結部材４に細い柱状のガイド２５を複数設けると共に、把持部１１の内壁に、このガイド２５に適合する溝２６を形成し、ガイド２５と溝２６の掛合により、塗布具１０をエアゾール容器２ａ、２ｂの方に押し込んで毛髪化粧料をエアゾール容器２ａ、２ｂから吐出させる際の塗布具１０の傾きを防止するものである。
【００２７】
図７の毛髪化粧料塗布用具１Ｃ は、図１の毛髪化粧料塗布用具１Ａに対して、ステムジョイント８の吐出口７から、第１剤と第２剤の混合剤が水平方向に吐出されるように、ステムジョイント８の吐出口７を上向きから横向きに変更し、それに合わせて、塗布具１０においても、ステムジョイント８の吐出口７が水平に挿入されるように通液路１３の向きを変更し、ステムジョイント８の挿入口２７を把持部１１の側面に設けたものである。したがって、この毛髪化粧料塗布用具１Ｃにおいては、ステムジョイント８の吐出口７と把持部１１の挿入口２７を合わせ、塗布具１０を水平にエアゾール容器２ａ、２ｂの方に押し込むことにより図７（ａ）に示すように、エアゾール容器２ａ、２ｂと塗布具１０とを連結する。そして、塗布具１０を矢印のように押し下げることによりステム５ａ、５ｂを押し下げて第１の染毛剤と第２の染毛剤を吐出させ、その混合剤を櫛部１２に保持させる。次いで、同図（ｂ）に示すように塗布具１０をステムジョイント８から引き抜き、塗布具１０で髪を梳く。
【００２８】
図８の毛髪化粧料塗布用具１Ｄ は、図１の毛髪化粧料塗布用具１Ａに対して、塗布具１０をエアゾール容器２ａ、２ｂに取り付けた状態で、把持部１１がエアゾール容器２ａ、２ｂに被さることなく、エアゾール容器２ａ、２ｂ上に載るように、把持部１１を細径筒型に形成し、また、把持部１１内で通液路１３を形成するパイプ２８を把持部１１の底面まで延設したものである。このパイプ２８の端部には、図５に示した嵌合部材２０が取り付けられたステムジョイントの挿入口２７が形成されている。したがって、この毛髪化粧料塗布用具１Ｄにおいては、システムジョイント８の吐出口７と把持部１１の底面に形成されている挿入口２７を合わせ、塗布具１０をエアゾール容器２ａ、２ｂの方に押し下げる。これにより、図８（ａ）に示すように、エアゾール容器２ａ、２ｂと塗布具１０とが連結される。このときステム５ａ、５ｂも押し下げられるので、第１の染毛剤と第２の染毛剤が吐出し、その混合剤が櫛部１２に保持される。次いで、同図（ｂ）に示すように塗布具１０をステムジョイント８から引き抜き、塗布具１０で髪を梳く。この毛髪化粧料塗布用具１Ｄ においても、把持部１１の径や長さの自由度を著しく高めることができる。
【００２９】
図９の毛髪化粧料塗布用具１Ｅ は、塗布具１０をエアゾール容器２ａ、２ｂに取り付けた状態で、把持部１１が、エアゾール容器２ａ、２ｂに被さることなく、エアゾール容器の側面に沿って垂下するＬ字型に形成されている。この毛髪化粧料塗布用具１Ｅによっても、把持部１１の大きさや形状について、エアゾール容器２ａ、２ｂに対する自由度を著しく高めることができる。また、この毛髪化粧料塗布用具１Ｅによれば、連結部材１４内の通液路の一端とステムジョイント８の吐出口７とがパイプ２８（図８）を介さずに接続されるので、塗布具１０内に不要に溜まる毛髪化粧料を無くすことができる。
【００３０】
図１０の毛髪化粧料塗布用具１Ｆ は、塗布具１０をエアゾール容器２ａ、２ｂに取り付けた状態で、把持部１１が、エアゾール容器２ａ、２ｂの全周に被さることなく、エアゾール容器の対向する側面を挟むように、把持部１１をコ字型にしたものである。これにより、把持部１１の持ち易さが向上する。
【００３１】
以上、把持部１１の形状が異なる種々の態様を挙げたが、本発明においては、エアゾール容器２ａ、２ｂへの塗布具１０の取り付け方についても種々の態様をとることができる。
【００３２】
例えば、図１の毛髪化粧料塗布用具１Ａにおいて、連結部材１４内の通液路１３の開口端で嵌合部材２０を用いてステムジョイント８をシールすることに代えて、図１１に示すように、連結部材１４の通液路１３の開口端に突起した係止部２９を円周状に形成し、そこにステムジョイント８を挿入してシールしてもよい。あるいは、図１２に示すように、ステムジョイント８の先端部にＯリング３０を嵌め、それを連結部材１４の通液路１３の開口端に挿入してもよい。
【００３３】
また、図１１及び図１２に示すように、毛髪化粧料を吐出させるために塗布具１０を押し下げるにあたり、逆止弁２４に力がかからないようにするためと逆止弁２４を破損させないために、ステムジョイント８の天面を押圧する押圧片３１を把持部１１内に設けてもよい。
【００３４】
さらにまた、毛髪化粧料を吐出させるために塗布具１０を押し下げるにあたり、ステムジョイント８と通液路１３のシール部分に過度の力がかからないようにするためと逆止弁２４を破損させないために、図１３に示すように、ステムジョイント８を押圧する押圧片３１に代えて、立壁２３を、ステムジョイント８の側壁の突起を上から押圧する位置に設けてもよい。
【００３５】
本発明の毛髪化粧料塗布用具は、１剤式の毛髪化粧料の塗布にも使用することができる。その場合、ステムジョイントは、必ずしも必要ではなく、エアゾール容器のステムと、塗布具の通液路の開口端とを直接連結させてもよい。
【００３６】
また、本発明の毛髪化粧料塗布用具を、一剤形式の毛髪化粧料に適合させる場合に、その把持部は、前述の二剤形式に対応した毛髪化粧料塗布用具に準じて、エアゾール容器に被さるようにしても良く（図１）、エアゾール容器上に載る細径筒型（図８）、エアゾール容器の側面に沿うＬ字型（図９）、エアゾール容器を挟むコ字型（図１０）等とすることができる。また、一剤形式の毛髪化粧料を吐出させるにあたり、ステムジョイントを介してエアゾール容器に塗布具を取り付ける場合、ステムジョイントの吐出口を上向きから横向きに変更し、ステムジョイントの挿入口２７を把持部の側面に設けてもよい（図７）。
【００３７】
一剤形式の毛髪化粧料を吐出させる場合には、２つのエアゾール容器を束ねる連結部材が不要となるが、それに伴い、図１の二剤形式の毛髪化粧料を吐出させる毛髪化粧料塗布用具１Ａにおいて連結部材４に設けたガイド２５（図６）については、一剤形式の毛髪化粧料を吐出させる毛髪化粧料塗布用具１Ｇでは、例えば、図１４に示すように、エアゾール容器２の表面に凸条のガイド２５を一体成形で設けてもよいし、凸状ガイドの別部材を貼り付けてもよい。なお、このガイド２５に掛合する溝２６は、把持部１１の内壁に形成すればよい。
【００３８】
本発明の毛髪化粧料塗布用具において、台座３は必要に応じて設けられるが、図１５（ａ）に示すように、毛髪化粧料塗布用具の使用時にエアゾール容器２ａ、２ｂを起立させる台座３を使用する場合、その台座３は、毛髪化粧料塗布用具の保管時に、同図（ｂ）に示すように、エアゾール容器２ａ、２ｂのキャップとして使用できるように、キャップ兼台座として形成することが好ましい。また、このように保管時にエアゾール容器２ａ、２ｂを台座３でキャップする場合に、ステムジョイント８は取り外してもよく、洗浄後に取り付けてもよい。
【００３９】
本発明において、エアゾール容器の種類、櫛部の櫛歯の形状や配置などについては特に制限はない。例えば、エアゾール容器としては、ステムを押し込むことにより内容物が吐出される通常のエアゾールバルブを備えたエアゾール容器の他、ステムの傾倒によりバルブが開口して内容物が吐出されるチルトバルブ（特開２００１−１５８４８６号公報等）を備えたエアゾール容器を用いてもよい。
【００４０】
さらに、本発明においては、エアゾール容器に代えて、ポンプ等の蓄圧機能により内容物を吐出させる吐出容器を用いてもよい。
【００４１】
吐出容器に充填する液状物は、毛髪化粧料に限らず、脱毛剤、衣類の部分洗い用洗剤、糊剤、靴の洗浄剤、靴クリーム、車や床面用のワックスやコーティング剤、ガラスの洗浄剤、補修用の塗布剤等としてもよい。その場合、塗布部の形状は、これらの用途に適宜適合させることができる。例えば、液状糊の塗布に使用する場合、図１６に示す塗布具１０の塗布部３２のように、連結部材１４内の通液路１３の開口端１３ａにメッシュ材料３３を被せて容器から吐出させた液状糊が開口端１３ａから噴出しないようにし、メッシュ材料３３の周囲にフェルト材あるいはスポンジ３４を設けて容器から吐出した液状糊がそこに保持されるようにする。この塗布部３２の使用時においては、まず、容器から液状糊を吐出させ、それをメッシュ材料３３とスポンジ３４に保持させる。そして、その液状糊を衣類等の必要な箇所に塗布する。
【００４２】
また、靴クリームの塗布に使用する場合、図１７に示す塗布具の塗布部３５のように、連結部材１４内の通液路１３の開口端１３ａの周囲にフランジ状に受け材３６を設け、そこにスポンジ３７を取り付ける。このスポンジ３７の頂部には、通液路１３に連通する開口３８を設けておく。この塗布部３５の使用時には、容器から靴クリームを吐出させてそれを開口３８からスポンジ３７上に吐出させ、次いでそれをスポンジ３７で靴に塗り広げる。  また、以上の塗布具において、塗布部と把持部は、洗浄の便宜等のため、着脱自在としてもよい。
【産業上の利用可能性】
【００４３】
本発明の液状物の塗布用具は、液状物の吐出と、その液状物の塗布を同時に行うことができる。さらに、この塗布用具の塗布具は、吐出容器と着脱自在であり、塗布具と把持部からなり、取り扱い性が良い。したがって、本発明の液状物の塗布用具は、毛髪化粧料、脱毛剤、衣類の部分洗い用洗剤、糊剤、靴の洗浄剤、靴クリーム、車や床面用のワックスやコーティング剤、ガラスの洗浄剤、補修用塗布剤等の種々の液状物の塗布に有用となる。
【図面の簡単な説明】
【００４４】
【図１】本発明の毛髪化粧料塗布用具であって、塗布具をエアゾール容器に取り付けた状態（ａ）と外した状態（ｂ）の斜視図である。
【図２】塗布具付毛髪化粧料吐出容器の構成部材の説明図である。
【図３】櫛部の断面図である。
【図４】塗布具のエアゾール容器への取り付け部分の断面図である。
【図５】嵌合部材の断面図（ａ）、斜め上から見た斜視図（ｂ）及び斜め下から見た斜視図（ｃ）である。
【図６】本発明の毛髪化粧料塗布用具であって、塗布具をエアゾール容器に取り付けた状態（ａ）と外した状態（ｂ）の斜視図である。
【図７】本発明の毛髪化粧料塗布用具であって、塗布具をエアゾール容器に取り付けた状態（ａ）と外した状態（ｂ）の斜視図である。
【図８】本発明の毛髪化粧料塗布用具であって、塗布具をエアゾール容器に取り付けた状態（ａ）と外した状態（ｂ）の斜視図である。
【図９】本発明の毛髪化粧料塗布用具であって、塗布具をエアゾール容器に取り付けた状態（ａ）と外した状態（ｂ）の斜視図である。
【図１０】本発明の毛髪化粧料塗布用具であって、塗布具をエアゾール容器に取り付けた状態の側面側斜視図（ａ）、正面側斜視図（ｂ）、及び塗布具をエアゾール容器から外した状態の斜視図（ｃ）である。
【図１１】塗布具のエアゾール容器への取り付け部分の断面図である。
【図１２】塗布具のエアゾール容器への取り付け部分の断面図である。
【図１３】塗布具のエアゾール容器への取り付け部分の断面図である。
【図１４】本発明の毛髪化粧料塗布用具であって、塗布具をエアゾール容器から外した状態の斜視図である。
【図１５】本発明の毛髪化粧料塗布用具であって、キャップ兼台座を台座として使用している状態の斜視図（ａ）、及びキャップとして使用している状態の斜視図（ｂ）である。
【図１６】液状糊の塗布に適した本発明の塗布用具の塗布部の斜視図である。
【図１７】靴クリームの塗布に適した本発明の塗布用具の塗布部の斜視図である。
【符号の説明】
【００４５】
１Ａ、１Ｂ、１Ｃ、１Ｄ、１Ｅ、１Ｆ、１Ｇ  毛髪化粧料塗布用具
１Ａp  塗布具付毛髪化粧料吐出容器
２ａ  第１のエアゾール容器
２ｂ  第２のエアゾール容器
３    台座
４    連結部材
１０  塗布具
１１  把持部
１２  櫛部（塗布部）
１３  通液路
１３ａ  通液路の開口端
１４  連結部材
１５  板状櫛歯
１６  通液路
１７  櫛歯の吐出孔
２４  逆止弁
３２  塗布部
３３  メッシュ材料
３４  スポンジ
３５  塗布部
３６  受け材
３７  スポンジ
３８  開口
【図１】
2005028039.tif 000003
【図２】
2005028039.tif 000004
【図３】
2005028039.tif 000005
【図４】
2005028039.tif 000006
【図５】
2005028039.tif 000007
【図６】
2005028039.tif 000008
【図７】
2005028039.tif 000009
【図８】
2005028039.tif 000010
【図９】
2005028039.tif 000011
【図１０】
2005028039.tif 000012
【図１１】
2005028039.tif 000013
【図１２】
2005028039.tif 000014
【図１３】
2005028039.tif 000015
【図１４】
2005028039.tif 000016
【図１５】
2005028039.tif 000017
【図１６】
2005028039.tif 000018
【図１７】
2005028039.tif 000019